(57)【特許請求の範囲】
【請求項１】
圧縮機、凝縮器、切替弁が順次接続され、
この切替弁には、冷蔵室蒸発器と冷凍室蒸発器とが、各々絞り機構を介して接続された冷凍サイクルを有し、
前記冷蔵室蒸発器、または、前記冷凍室蒸発器への冷媒流路を前記切替弁によって交互に切替えることによって、冷蔵室を冷却する冷蔵モードと冷凍室を冷却する冷凍モードを交互に行う冷蔵庫において、
前記冷蔵庫の制御手段が前記圧縮機を停止させる場合は、
前記切替弁を全閉状態にして、前記冷蔵室蒸発器と前記冷凍室蒸発器のどちらにも冷媒が流れない状態にしてから前記圧縮機を停止させ、
前記制御手段が前記圧縮機を起動する場合は、
前記圧縮機の起動に先立って前記切替弁を全開状態にして、前記冷蔵室蒸発器と前記冷凍室蒸発器のどちらにも冷媒が流れる状態にしてから前記圧縮機を起動することを特徴とする冷蔵庫。
【請求項２】
前記制御手段が前記圧縮機を起動する場合は、
前記庫内温度が切替設定温度Ｔ１に到達すると前記切替弁を全開状態になし、前記庫内温度が圧縮機起動温度Ｔ０（Ｔ０＞Ｔ１）に到達すると前記圧縮機を起動することを特徴とする請求項１記載の冷蔵庫。
【請求項３】
前記制御手段は、
外気温度が基準温度Ｔｇより低いときは切替設定温度Ｔ１を、外気温度が前記基準温度Ｔｇより高いときの切替設定温度Ｔ１よりも低く設定することを特徴とする請求項２記載の冷蔵庫。
【請求項４】
前記制御手段が前記圧縮機を起動する場合は、
前記庫内温度が圧縮機起動温度Ｔ０に到達すると前記切替弁を全開状態になし、
前記全開状態にした時から起動準備時間Ｋ経過後に前記圧縮機を起動することを特徴とする請求項１記載の冷蔵庫。
【請求項５】
前記制御手段は、
外気温度が基準温度Ｔｇより低いときは起動準備時間Ｋを、外気温度が前記基準温度Ｔｇより高いときの起動準備時間Ｋよりも短く設定することを特徴とする請求項４記載の冷蔵庫。
【請求項６】
圧縮機、凝縮器、切替弁が順次接続され、
この切替弁には、冷蔵室蒸発器と冷凍室蒸発器とが、各々絞り機構を介して接続された冷凍サイクルを有し、
前記冷蔵室蒸発器、または、前記冷凍室蒸発器への冷媒流路を前記切替弁によって交互に切替えることによって、冷蔵室を冷却する冷蔵モードと冷凍室を冷却する冷凍モードを交互に行う冷蔵庫において、
前記冷蔵庫の制御手段は、
前記冷蔵庫の電源が投入されて前記圧縮機を起動する場合は、
前記切替弁を起動準備時間Ｋの間は全開状態にして、前記冷蔵室蒸発器と前記冷凍室蒸発器のどちらにも冷媒が流れる状態にしてから前記圧縮機を起動することを特徴とする冷蔵庫。
【請求項７】
圧縮機、凝縮器、切替弁が順次接続され、
この切替弁には、冷蔵室蒸発器と冷凍室蒸発器とが、各々絞り機構を介して接続された冷凍サイクルを有し、
前記冷蔵室蒸発器、または、前記冷凍室蒸発器への冷媒流路を前記切替弁によって交互に切替えることによって、冷蔵室を冷却する冷蔵モードと冷凍室を冷却する冷凍モードを交互に行う冷蔵庫において、
前記冷蔵庫の制御手段が、前記圧縮機の起動を行えないことを検知した後に、前記圧縮機を再起動する場合は、
前記切替弁を起動準備時間Ｋの間は全開状態にして、前記冷蔵室蒸発器と前記冷凍室蒸発器のどちらにも冷媒が流れる状態にしてから前記圧縮機を再起動することを特徴とする冷蔵庫。
【請求項８】
前記制御手段は、前記圧縮機を起動した時から全開保持時間の間は前記切替弁の全開状態を保持することを特徴とする請求項１から７のうち少なくとも一項に記載の冷蔵庫。
【請求項９】
前記冷凍サイクルにおいて、
前記切替弁の第１の出口に前記冷蔵用絞り機構と前記冷蔵室蒸発器とが順番に接続され、
前記切替弁の第２の出口に前記冷凍用絞り機構と前記冷凍室蒸発器とが順番に接続され、
前記冷蔵室蒸発器と前記冷凍室蒸発器とが前記圧縮機に接続されていることを特徴とする請求項１から８のうち少なくとも一項に記載の冷蔵庫。
【請求項１０】
前記冷凍サイクルにおいて、
前記切替弁の第１の出口に前記冷蔵用絞り機構と前記冷蔵室蒸発器とが順番に接続され、
前記切替弁の第２の出口に前記冷凍用絞り機構が接続され、
前記冷凍用絞り機構と前記冷蔵室蒸発器とが前記冷凍室蒸発器に接続され、
前記冷凍室蒸発器が前記圧縮機に接続されていることを特徴とする請求項１から８のうち少なくとも一項に記載の冷蔵庫。
【発明の詳細な説明】
【０００１】
【発明の属する技術分野】
本発明は、冷蔵室と冷凍室に蒸発器をそれぞれ設けた冷蔵庫に関する。
【０００２】
【従来の技術】
一般に、冷蔵庫は圧縮機から吐出された冷媒が凝縮器、絞り機構（キャピラリーチューブ）、蒸発器を通り、再び圧縮機に戻る冷凍サイクルを構成し、一つ蒸発器で温度の異なる複数の部屋を冷却していた。
【０００３】
一方、近年、冷蔵室と冷凍室にそれぞれ任意の口径のキャピラリーチューブを介して蒸発器を配置し、冷媒流路を切り替えて冷蔵室を冷却する冷蔵モードと、冷凍室を冷却する冷凍モードを交互に冷却すると共に、圧縮機の回転数を可変して各部屋の温度帯に適した蒸発温度に制御する冷蔵庫が提案されている。
【０００４】
すなわち、圧縮機を出た冷媒は、切替弁で冷蔵室蒸発器につながる冷蔵キャピラリチューブと、冷凍室蒸発器につながる冷凍キャピラリチューブに流れを選択的に制御する。
【０００５】
また、冷凍室蒸発器の出口にはアキュムレータと逆止弁がつながり、冷蔵室蒸発器の出口からつながるパイプと合流し、圧縮機に戻る（特願平１１−１７３７２９号）。
【０００６】
上記のような冷凍サイクルにおいて、次のような制御方法も提案されている（特願２０００−２５４１３２）。
【０００７】
すなわち、切替弁を全閉にして冷媒流路を遮断してから圧縮機を停止し、所定時間後あるいは庫内温度が設定温度に到達した場合に、切替弁を冷蔵モードにするものである。そして、各冷却モードを効率良く行うため、冷却室を冷蔵室側へ切り替える前に冷蔵側と冷凍側の両冷媒流路を遮断し、冷媒を高圧側に滞留させる冷媒回収モードを行うものである。
【０００８】
つまり、冷凍モード、全閉状態（冷媒回収モード）、冷蔵モードの工程を繰り返すことで、冷蔵モード前に凝縮器側に必要な冷媒を移動させ、冷蔵モードでの冷媒遅れを解消すると共に、冷凍室には冷蔵室と冷凍室の圧力差を利用した逆止弁の作用によって低温冷媒を滞留させる。
【０００９】
【発明が解決しようとする課題】
上記のような冷凍サイクルを有する冷蔵庫にあっては、冷却室毎にそれぞれの蒸発温度に適した温度で冷却できるため、高い冷凍サイクル効率を得られる。
【００１０】
一方、圧縮機の停止中は凝縮器側の高温冷媒が蒸発器内へ流入することを抑えるため、切替弁を全閉状態としている。そして、圧縮機の起動準備として、起動する前に低温側と高温側の圧力バランスを図るため、全閉状態から冷蔵モードまたは冷凍モードに切り替えていた。
【００１１】
しかしながら、このような制御方法では圧縮機の起動中に要求される圧力均衡までの時間短縮に限界がある。つまり、切替弁を、冷蔵側あるいは冷凍側の一方のみを圧縮機の起動準備として開放しても、圧縮機の起動に悪影響を与えない高圧側と低圧側の圧力差の縮小まで時間を要するという問題点があった。
【００１２】
また、起動までの時間は、高温冷媒が蒸発器側に流入するために、消費電力の低減に悪影響を及ぼすという問題点もある。
【００１３】
そこで、本発明は上記問題点に鑑み、圧縮機の起動に必要条件となる冷凍サイクルの高圧側と低圧側の圧力バランスを短時間で行うことができ、効率の良い冷却が可能な冷蔵庫を提供するものである。
【００１４】
【課題を解決するための手段】
請求項１の発明は、圧縮機、凝縮器、切替弁が順次接続され、この切替弁には、冷蔵室蒸発器と冷凍室蒸発器とが、各々絞り機構を介して接続された冷凍サイクルを有し、前記冷蔵室蒸発器、または、前記冷凍室蒸発器への冷媒流路を前記切替弁によって交互に切替えることによって、冷蔵室を冷却する冷蔵モードと冷凍室を冷却する冷凍モードを交互に行う冷蔵庫において、前記冷蔵庫の制御手段が前記圧縮機を停止させる場合は、前記切替弁を全閉状態にして、前記冷蔵室蒸発器と前記冷凍室蒸発器のどちらにも冷媒が流れない状態にしてから前記圧縮機を停止させ、前記制御手段が前記圧縮機を起動する場合は、前記圧縮機の起動に先立って前記切替弁を全開状態にして、前記冷蔵室蒸発器と前記冷凍室蒸発器のどちらにも冷媒が流れる状態にしてから前記圧縮機を起動することを特徴とする冷蔵庫である。
【００１５】
請求項２の発明は、前記制御手段が前記圧縮機を起動する場合は、前記庫内温度が切替設定温度Ｔ１に到達すると前記切替弁を全開状態になし、前記庫内温度が圧縮機起動温度Ｔ０（Ｔ０＞Ｔ１）に到達すると前記圧縮機を起動することを特徴とする請求項１記載の冷蔵庫である。
【００１６】
請求項３の発明は、前記制御手段は、外気温度が基準温度Ｔｇより低いときは切替設定温度Ｔ１を、外気温度が前記基準温度Ｔｇより高いときの切替設定温度Ｔ１よりも低く設定することを特徴とする請求項２記載の冷蔵庫である。
【００１７】
請求項４の発明は、前記制御手段が前記圧縮機を起動する場合は、前記庫内温度が圧縮機起動温度Ｔ０に到達すると前記切替弁を全開状態になし、前記全開状態にした時から起動準備時間Ｋ経過後に前記圧縮機を起動することを特徴とする請求項１記載の冷蔵庫である。
【００１８】
請求項５の発明は、前記制御手段は、外気温度が基準温度Ｔｇより低いときは起動準備時間Ｋを、外気温度が前記基準温度Ｔｇより高いときの起動準備時間Ｋよりも短く設定することを特徴とする請求項４記載の冷蔵庫である。
【００１９】
請求項６の発明は、圧縮機、凝縮器、切替弁が順次接続され、この切替弁には、冷蔵室蒸発器と冷凍室蒸発器とが、各々絞り機構を介して接続された冷凍サイクルを有し、前記冷蔵室蒸発器、または、前記冷凍室蒸発器への冷媒流路を前記切替弁によって交互に切替えることによって、冷蔵室を冷却する冷蔵モードと冷凍室を冷却する冷凍モードを交互に行う冷蔵庫において、前記冷蔵庫の制御手段は、前記冷蔵庫の電源が投入されて前記圧縮機を起動する場合は、前記切替弁を起動準備時間Ｋの間は全開状態にして、前記冷蔵室蒸発器と前記冷凍室蒸発器のどちらにも冷媒が流れる状態にしてから前記圧縮機を起動することを特徴とする冷蔵庫である。
【００２０】
請求項７の発明は、圧縮機、凝縮器、切替弁が順次接続され、この切替弁には、冷蔵室蒸発器と冷凍室蒸発器とが、各々絞り機構を介して接続された冷凍サイクルを有し、前記冷蔵室蒸発器、または、前記冷凍室蒸発器への冷媒流路を前記切替弁によって交互に切替えることによって、冷蔵室を冷却する冷蔵モードと冷凍室を冷却する冷凍モードを交互に行う冷蔵庫において、前記冷蔵庫の制御手段が、前記圧縮機の起動を行えないことを検知した後に、前記圧縮機を再起動する場合は、前記切替弁を起動準備時間Ｋの間は全開状態にして、前記冷蔵室蒸発器と前記冷凍室蒸発器のどちらにも冷媒が流れる状態にしてから前記圧縮機を再起動することを特徴とする冷蔵庫である。
【００２１】
請求項８の発明は、前記制御手段は、前記圧縮機を起動した時から全開保持時間の間は前記切替弁の全開状態を保持することを特徴とする請求項１から７のうち少なくとも一項に記載の冷蔵庫である。
【００２２】
請求項９の発明は、前記冷凍サイクルにおいて、前記切替弁の第１の出口に前記冷蔵用絞り機構と前記冷蔵室蒸発器とが順番に接続され、前記切替弁の第２の出口に前記冷凍用絞り機構と前記冷凍室蒸発器とが順番に接続され、前記冷蔵室蒸発器と前記冷凍室蒸発器とが前記圧縮機に接続されていることを特徴とする請求項１から８のうち少なくとも一項に記載の冷蔵庫である。
【００２３】
請求項１０の発明は、前記冷凍サイクルにおいて、前記切替弁の第１の出口に前記冷蔵用絞り機構と前記冷蔵室蒸発器とが順番に接続され、前記切替弁の第２の出口に前記冷凍用絞り機構が接続され、前記冷凍用絞り機構と前記冷蔵室蒸発器とが前記冷凍室蒸発器に接続され、前記冷凍室蒸発器が前記圧縮機に接続されていることを特徴とする請求項１から８のうち少なくとも一項に記載の冷蔵庫である。
【００２４】
請求項１の発明であると、圧縮機が起動と停止を繰り返す運転の場合には、切替弁を全閉状態にして高圧冷媒を回収してから圧縮機を停止させる。その後、圧縮機を起動する場合には、全開状態で圧縮機の起動準備を行って、高圧側と低圧側の圧力バランスを均等にしてから起動する。
【００２５】
これによって、圧縮機の停止中は高圧冷媒が蒸発器側への流入を抑える全閉状態を長く保持することができ、その後の圧縮機の起動の必要条件となる冷凍サイクルの高圧側と低圧側の圧力バランスを短時間で行うことができる。
【００２６】
請求項２の発明であると、圧縮機の停止中は、高圧側と低圧側の圧力差が、圧縮機の起動に必要な圧力差に達するまで、高圧冷媒の蒸発器の流入を抑える全閉状態を長く維持することができる。
【００２７】
請求項３の発明であると、外気温度の変動があっても、圧縮機は起動に必要な圧力差まで待機できるため、高温冷媒の流入を極力抑えることができると共に確実な圧縮機の起動が可能となる。
【００２８】
請求項４の発明であると、圧縮機の停止中に扉の開閉あるいは負荷投入によって庫内温度が急激に上昇し、短時間で圧縮機の起動温度に到達した場合でも、圧縮機は起動に必要な圧力差まで待機することになり、圧力差が大きくなることによる圧縮機の起動の失敗というトラブルを防止することができる。
【００２９】
請求項５の発明であると、扉開閉あるいは負荷投入があっても、圧縮機は、起動に必要な圧力差まで待機できるため、高温冷媒の流入を極力抑えることができる。
【００３０】
請求項６の発明であると、冷蔵庫の電源が投入した後、切替弁を起動準備時間Ｋの間は全開状態にして、冷凍サイクルの高圧側と低圧側の圧力バランスを行うことにより、圧縮機の起動を確実に行うことができる。
【００３１】
請求項７の発明であると、圧縮機の起動を失敗し、圧縮機を再起動する場合に、切替弁を起動準備時間Ｋの間は全開状態にして、冷凍サイクルの高圧側と低圧側の圧力バランスを行った後、圧縮機を再起動するため、その再起動を確実に行うことができる。
【００３２】
請求項８の発明であると、圧縮機を起動してから、全開保持時間の間は切替弁を全開状態にすることにより、冷凍サイクルにおける高圧側と低圧側の圧力バランスを確実に行うことができ、その後の圧縮機の定常回転を順調に行わせることができる。
【００３３】
【発明の実施の形態】
（第１の実施例）
以下、図面を参照しながら本発明の第１の実施例を具体的に説明する。
【００３４】
（１）冷蔵庫の構造
図１は、本実施例を示す間冷式冷蔵庫の断面図である。
【００３５】
冷蔵庫本体１は、断熱箱体９と内箱８で形成されている。そして、断熱仕切壁２によって冷蔵温度帯（以下、Ｒ室という）３０と冷凍温度帯（以下、Ｆ室という）４０に区画され、これら部屋の冷気は完全に独立し、各冷気が混合することのない構造となっている。
【００３６】
Ｒ室３０の庫内は冷蔵仕切板３によって冷蔵室４と野菜室５とに仕切られ、Ｆ室４０の庫内は第１冷凍室６と第２冷凍室７から成り、各室はそれぞれ開閉扉５１〜５４を有している。
【００３７】
野菜室５の背面には冷蔵室蒸発器（以下、Ｒエバという）１０と冷蔵室冷却ファン（以下、Ｒファンという）１１が配置され、Ｒファン１１は庫内温度変動や扉開閉によって任意に運転される。そして、冷蔵室４の背面は、冷気をＲ室３０内に供給するための冷気循環路１８となっている。Ｒファン１１は、インバータ制御で可変速である。
【００３８】
冷凍室蒸発器（以下、Ｆエバという）１２と冷凍室冷却ファン（以下、Ｆファンという）１３は第１及び第２冷凍室６、７の背壁に配置され、冷気を循環することで第１及び第２冷凍室６、７が冷却される。Ｆファン１２は、インバータ制御で可変速である。
【００３９】
冷蔵庫本体１の背壁下部の機械室１４には、圧縮機１５、凝縮器２１がそれぞれ配置されている。また、凝縮器２１を放熱するファン（以下、Ｃファンという）２５を有する。このＣファン２５は、インバータ制御で可変速である。圧縮機１５は、ブラシレスＤＣモータによって駆動して、能力可変である。ブラシレスＤＣモータは三相であって、その回転は、インバータ回路からの駆動電流によってインバータ制御されている。
【００４０】
また、除霜ヒータ６０，６２が、Ｒエバ１０，Ｆエバ１２の下方に配置されている。
【００４１】
さらに、冷蔵庫本体１の背面上部には、この冷蔵庫の制御を行うマイクロコンピュータよりなる制御部６４が設けられている。この制御部６４は、圧縮機１５のブラシレスＤＣモータ、Ｒファン１１、Ｆファン１２、Ｃファン２５のファンモータであるブラシレスＤＣモータについて、ＯＮ、ＯＦＦや回転速度をインバータ制御する。例えば、圧縮機１５のブラシレスＤＣモータの場合には、そのインバータ回路に回転速度信号を送り制御している。また、除霜ヒータ６０，６２を制御し、さらに、後述する切替弁２２を制御する。
【００４２】
（２）冷凍サイクルの構成
図２は、冷蔵庫の冷凍サイクルである。
【００４３】
圧縮機１５から吐出された不燃性冷媒は、凝縮器２１を通った後、３方弁よりなる切替弁２２の冷媒切換機構によって冷媒流路が切り替えられる。
【００４４】
この切替弁２２の一方の出口には冷蔵キャピラリーチューブ２３とＲエバ１０が順次接続され、切替弁２２の他方の出口には冷凍キャピラリーチューブ２４とＦエバ１２とアキュームレータ１６が順次接続されている。
【００４５】
制御部６４の制御によって、切替弁２２は、冷媒を冷蔵キャピラリーチューブ２３にのみ送る状態、冷凍キャピラリーチューブ２４にのみ送る状態、どちらにも冷媒を送る全開状態、どちらにも冷媒を送らない全閉状態の４つの状態が実現できる。
【００４６】
アキュームレータ１６の出口配管には，機械室１４内で逆止弁１７が接続され、逆止弁１７の出口側はＲエバ１０の出口配管と合流して圧縮機１５の吸込側に繋がっている。
【００４７】
（３）交互運転
まず、上記冷蔵庫における通常の庫内温度制御運転について説明する。
【００４８】
圧縮機１５で圧縮、加圧された高温の冷媒は凝縮器２１で放熱され、それを出た冷媒は切替弁２２に入り、Ｒエバ１０またはＦエバ１２を冷却して下記で説明する冷蔵モードと冷凍モードを交互に行う交互運転を行う。
【００４９】
（３−１）冷蔵モード
Ｒ室３０の庫内温度が設定温度より高くなると、冷蔵モードを行う。
【００５０】
図３（ａ）に示しように、冷蔵モードでは、切替弁２２を切り替え、冷蔵キャピラリチューブ２３に冷媒を流し、Ｒエバ１０で蒸発して、Ｒ室３０を冷却する。蒸発してガス化した冷媒は圧縮機１５に戻る。Ｆエバ１２の温度は冷蔵モードの蒸発温度より低いため、冷媒がＦエバ１２に流れ込み再凝縮しないように逆止弁１７がＦエバ１２側の流路に設置されている。
【００５１】
（３−２）冷凍モード
Ｆ室４０の庫内温度が設定温度より高くなると、冷凍モードを行う。
【００５２】
図３（ｂ）に示しように冷凍モードでは、切替弁２２を切り替え、冷凍キャピラリチューブ２４に冷媒が流れるように冷媒流路を切り替え、Ｆエバ１２で蒸発し、アキュムレータ１６と逆止弁１７を通り圧縮機１５に戻る。
【００５３】
そして、これら蒸発器１０，１２が強制対流で空気と熱交換する熱交換器であるので、冷蔵モード時はＲファン１１、冷凍モード時はＦファン１３を冷媒流路の切替えと同時に運転し庫内を冷却する。
【００５４】
（４）圧縮機１５の停止及び起動時の制御方法
（４−１）本制御方法の理論的説明
上記のような冷蔵モード及び冷凍モードにおいて、各部屋の庫内温度が共に圧縮機１５の起動温度より低く保たれている場合には圧縮機１５は停止する。
【００５５】
この圧縮機１５の停止時に切替弁２２が冷蔵モードあるいは冷凍モードになっていると、冷凍サイクルにおける高圧側と低圧側の圧力は短時間でバランスするため、その後の圧縮機１５は確実に起動できる。しかしながら、凝縮器２１側から高温冷媒が流入するため、蒸発器温度が上昇して庫内温度の変動に影響を与え、消費電力量の増大を招くことになる。
【００５６】
そこで、圧縮機１５の停止時は切替弁２２を全閉状態とし、高温冷媒の流入を抑えることにしている。
【００５７】
図４に、この時の圧縮機１５の吐出圧力（高圧側圧力）と吸込圧力（低圧側圧力）の圧力変動を示す。圧縮機１５の停止中は温度低下に伴い吐出圧力は徐々に低下するが、圧縮機１５の起動においては０．４ＭＰａ程度の圧力差が存在している。この圧力差で圧縮機１５を起動するには十分な信頼性が得られず場合によっては起動できないことがある。つまり圧縮機１５が起動するには圧力差を減少させる必要がある。
【００５８】
そのため、従来の技術（特願２０００−２５４１３２）では圧縮機１５の起動準備として、庫内温度が圧縮機１５の起動温度に到達したら切替弁２２を冷蔵モードとしている。この場合、図５に示しように、凝縮器２１側の冷媒は冷蔵キャピラリチューブ２３を介してＲエバ１０内に流入し、高圧側と低圧側の圧力差は徐々にバランスされる。但し、このバランス時間は冷蔵キャピラリチューブ２３のみに依存するため、ある程度の時間を要し、この間の高温冷媒の流入によってＲエバ１０は温度上昇を招くことになる。
【００５９】
そこで、本制御方法では、図３（ｄ）に示しように、圧縮機１５の起動準備において、切替弁２２を全開状態にすることによって解決している。
【００６０】
この制御方法によると、図６に示すように、起動準備中は、切替弁２２からＲエバ１０とＦエバ１２に流入するが、冷蔵キャピラリチューブ２３と冷凍キャピラリチューブ２４を介して圧力のバランス時間が短縮され、圧縮機１５の起動直前まで高温冷媒の流入を抑えることが可能となる。従って、庫内温度変動を極力抑えることができると共に、消費電力の低減に寄与することとなる。
【００６１】
このように、圧縮機１５の起動準備を全開状態とした場合に、圧縮機１５の吐出圧力と吸込圧力は起動時にバランスしており、このような状態での起動が理想となり十分な信頼性を確保することができる。
【００６２】
（４−２）第１の制御方法
上記制御方法の具体的な第１の制御方法について、図７のフローチャートに基づいて説明する。
【００６３】
ステップ１において、図３（ａ）に示しように、冷蔵モードが行われており、Ｒ室３０の庫内温度が所定温度以下になると冷蔵モードが終了する。そして、ステップ３に進む。
【００６４】
ステップ２において、図３（ｂ）に示しように、冷凍モードが行われており、Ｆ室４０の庫内温度が所定温度以下になると冷凍モードが終了する。そして、ステップ３に進む。
【００６５】
ステップ３において、図３（ｃ）に示しように、切替弁２２が全閉状態となる。これによって、冷媒を高圧側に滞留させる冷媒回収モードが行われる。
【００６６】
ステップ４において、冷媒回収モードが終了すると圧縮機１５が停止する。
【００６７】
ステップ５において、圧縮機１５の停止中に、Ｆ室４０またはＲ室３０の庫内温度が、圧縮機起動温度Ｔ０より低く設定された切替弁２２の切替設定温度Ｔ１まで上昇したらステップ６に進む。例えば、Ｆ室４０の圧縮機起動温度Ｔ０ｆが−１８℃の場合には、−１６℃を切替設定温度Ｔ１ｆとして設定する。Ｒ室４０の圧縮機起動温度Ｔ０ｒが３℃の場合には、１℃を切替設定温度Ｔ１ｒとして設定する。
【００６８】
ステップ６において、図３（ｄ）に示しように、切替弁２２を全開状態とする。これによって、冷媒がＲエバ１０及びＦエバ１２に流入し、更に圧縮機１５の低圧側に流れ込むこととなる。従って、圧縮機１５の高圧側と低圧側の圧力バランスを均等になり、起動準備を迅速に行うことができる。
【００６９】
ステップ７において、庫内温度が圧縮機起動温度Ｔ０まで上昇すると、ステップ８に進む。
【００７０】
ステップ８において、圧縮機１５を起動させる。このときには圧縮機１５の高圧側と低圧側の圧力バランスが均等となっているため、起動に十分な信頼性を得ることができる。
【００７１】
第１の制御方法の変更例としては、外気温度が基準温度Ｔｇより低い時は、切替弁２２の切替設定温度Ｔ１を高く設定するものである。例えば、外気温度の基準温度Ｔｇを１０℃とした場合には、外気温度が１０℃より低い時には、切替設定温度Ｔ１を−１６℃から−１７℃に設定し直すものである。
【００７２】
この理由は、外気温度が低い時は凝縮器２１側の圧力が低くなっており、圧力バランスに要する時間が短くなるためである。
【００７３】
従って、圧縮機１５の起動まで蒸発器側への高温冷媒の流入を長く抑えることができる。
【００７４】
（４−３）第２の制御方法
上記制御方法の具体的な第２の制御方法について、図８のフローチャートに基づいて説明する。
【００７５】
第２の制御方法は、圧縮機１５の停止後、切替弁２２が全開状態になるまでの処理は第１の制御方法と同様である（ステップ１１〜１６）。
【００７６】
ステップ１７において、圧縮機１５の停止中に庫内温度が上昇し圧縮機起動温度Ｔ０まで上昇したら、切替弁２２を全開状態に切り替える。一方、その全開状態にした時点から起動準備時間Ｋ（例えば、２分）が経過するのを計測する。
【００７７】
ステップ１８において、起動準備時間Ｋ（２分）が経過した後に圧縮機１５を起動する。
【００７８】
これによって、扉開閉により負荷の投入があっても、圧縮機１５の起動に必要な圧力バランスになる前に庫内温度が上昇しても、圧力バランスになるための必要な時間だけ圧縮機１５の起動が待機状態となり、起動失敗による不測の事態を回避することができる。
【００７９】
この第２の制御方法の変更例としては、外気温度が基準温度Ｔｇより低い時は、起動準備時間Ｋを短く設定するものである。つまり、外気温度が低い時は凝縮器２１側の圧力が低くなっており、圧力バランスに要する時間が短くなるためである。
【００８０】
従って、圧縮機１５の起動まで蒸発器側への高温冷媒流入を長く抑えることができる。
【００８１】
（５）冷蔵庫の電源投入時の制御方法
次に、上記構成の冷蔵庫において、電源が投入して（例えば、コンセントを差し込んだ時や停電が回復した時）、冷蔵庫を動作させる場合の制御方法について、図９に基づいて説明する。
【００８２】
ステップ２１において、コンセントが差し込まれたり、停電が回復したりして、電源が投入されたとする。
【００８３】
ステップ２２において、制御部６４が、切替弁２２を全開状態とする。これによって、冷媒がＲエバ１０及びＦエバ１２に流入し、さらに圧縮機１５の低圧側に流れ込むこととなる。従って、圧縮機１５の高圧側と低圧側の圧力バランスが均等になり、起動準備を迅速に行うことができる。
【００８４】
そして、切替弁２２を全開状態にした時点から起動準備時間Ｋ（例えば、２分）が計測するのを計測し始める。
【００８５】
ステップ２３において、起動準備時間Ｋが経過した後に、ステップ２４において圧縮機１５を起動する。
【００８６】
圧縮機１５を起動した後、ステップ２５における冷蔵モードまたはステップ２６における冷凍モードに進む。
【００８７】
これによって、電源が投入されると、高圧側と低圧側の圧力バランスを行った後に圧縮機１５の起動を行うため、起動失敗による不測の事態を回避することができる。また、消費電力量も削減される。また、片側のキャピラリチューブが何かの物によって詰まっても、圧縮機１５の起動不良を防止することができる。
【００８８】
（６）圧縮機１５の起動を失敗した場合の制御方法
上記各制御方法によって、圧縮機１５の起動は確実に行うことができるが、何らかの原因によって圧縮機１５の起動が失敗した後の再起動の制御方法について図１０のフローチャートに基づいて説明する。
【００８９】
ステップ３１において、制御部６４が圧縮機１５の起動を行う。この起動は、上記制御方法で説明したように、庫内温度が上昇した場合や、電源が投入された場合などである。
【００９０】
ステップ３２において、制御部６４が、圧縮機１５の起動が失敗したと検知する。この検知方法としては、圧縮機１５を駆動するブラシレスＤＣモータへインバータ回路から出力される駆動電流の電流値に基づいて検知する。起動が失敗したため、制御部６４は、圧縮機１５を再起動の制御を行うため、ステップ３３に進む。
【００９１】
ステップ３３において、切替弁２２を全開状態とする。これによって、圧縮機１５の高圧側と低圧側の圧力バランスが均等になり、再起動を確実に行うことができる。そして、この時点から起動準備時間Ｋを計測し始める。
【００９２】
ステップ３４において、起動準備時間（例えば、２分）が経過すると、圧縮機１５の高圧側と低圧側の圧力バランスが均等になったとして、ステップ３５に進む。
【００９３】
ステップ３５において、圧縮機１５の再起動を行い、ステップ３６における冷蔵モードまたはステップ３７における冷凍モードに進む。
【００９４】
上記制御方法であると、圧縮機１５の起動を失敗しても、再起動する際に切替弁２２を全開状態にして、圧縮機１５における高圧側と低圧側のバランスをとるため、圧縮機１５の再起動を確実に行うことができる。また、消費電力量も削減される。また、片側のキャピラリチューブが何かの物によって詰まっても、圧縮機１５の起動不良を防止できる。
【００９５】
（７）圧縮機１５の起動を行う際の制御方法の変更例
上記制御方法において、圧縮機１５を再起動する際には、切替弁２２を全開状態にした後、圧縮機起動温度に到達するか、起動準備時間が経過すると圧縮機１５を起動している。この場合に、上記各実施例では冷蔵モードまたは冷凍モードに直ちに移行するため、切替弁２２は、Ｒエバ１０側もしくはＦエバ１２側に切り替えられることとなる（図３参照）。
【００９６】
本変更例の制御方法では、上記制御方法に代えて、圧縮機１５を起動すると、全開保持時間の間は、切替弁２２の全開状態を保持しておくものである。
【００９７】
例えば、圧縮機１５が起動した後、全開保持時間（例えば、１分間）の間は、全開状態にして、高圧側と低圧側のバランスをより確実にバランスさせた後に、冷蔵モードまたは冷凍モードに移行するものである。
【００９８】
これによって、より確実に圧力バランスが行われ、圧縮機の回転を正常に行わせることができる。すなわち、消費電力量も削減される。また、片側のキャピラリチューブが何かの物によって詰まっても、圧縮機１５の起動不良を防止することができる。
【００９９】
（８）圧縮機１５の停止時の制御方法
上記各制御方法において、圧縮機１５を停止させる場合には、冷凍モードであっても、冷蔵モードであっても、切替弁２２を全閉状態にして冷媒を回収した後、圧縮機１５を停止させている。
【０１００】
これに代わる停止の制御方法について図１１のタイムチャートに基づいて説明する。
【０１０１】
この停止の制御方法では、冷凍モードで終了する場合には、冷凍モードが終了すると切替弁２２を全閉状態にして冷媒を回収する。そして、その後に圧縮機１５を停止させる。
【０１０２】
一方、冷蔵モードで終了しようとする場合には、図１１に示すように冷蔵モードで終了せず、さらに、切替弁２２をＦエバ１２側に開いて、冷凍モードを行い、冷凍室の温度が冷凍室冷却終了温度（例えば、−２０℃）に到達した後、切替弁２２を全閉状態にして冷媒を回収し、圧縮機１５を停止させる。
【０１０３】
このように、冷凍モードにおいて終了して冷媒回収を行う理由は、冷凍モードで終了してその直後に冷媒回収を行う方が、冷媒回収を行うことができるからである。
【０１０４】
（第２の実施例）
第２の実施例について、図１２の冷凍サイクルに基づいて説明する。
【０１０５】
第２の実施例と第１の実施例の異なる点は、冷凍サイクルの構造にある。
【０１０６】
第１の実施例では、Ｒエバ１０とＦエバ１２を並列に接続していたが、本実施例では、図１２に示すように、切替弁２２の第１の出口に冷蔵キャピラリチューブ２３とＲエバ１０を順次接続し、切替弁２２の第２の出口には冷凍キャピラリチューブ２４を接続している。そして、Ｒエバ１０の出口側と、冷凍キャピラリチューブ出口側を接続した後、Ｆエバ１２が接続されている。
【０１０７】
この第２の冷凍サイクルであっても、第１の冷凍サイクルと同様に、圧縮機１５を停止する場合には、切替弁２２を全閉状態にして冷媒を回収した後、圧縮機１５を停止させる。
【０１０８】
また、圧縮機１５を起動させる場合には、切替弁２２を全開状態にして、圧縮機１５の高圧側と低圧側のバランスを行った後に、圧縮機１５を起動させる。
【０１０９】
なお、具体的な制御方法は、第１の実施例の制御方法と同様である。
【０１１０】
第２の実施例の冷凍サイクルにおいても、圧縮機１５の起動性能を上げることができ、また、圧力バランスが早くなり、消費電力量を低減することができる。
【０１１１】
（変更例）
上記各実施例では、不燃性冷媒を用いたが、これに代えて可燃性冷媒（ＨＣ冷媒）も用いることができる。これは、上記各実施形態では、冷媒の量を少なくできるために、可燃性冷媒でも安全だからである。
【０１１２】
【発明の効果】
以上説明したように本願発明であると、圧縮機起動準備を切替弁の全開状態で行うため、圧縮機の高圧側と低圧側の圧力バランスが早く行え、圧縮機の起動条件の圧力差まで高温冷媒が蒸発器に流入することを抑えることができる。
【０１１３】
また、圧縮機起動失敗による不測の事態を回避することができると共に消費電力量を低減させることもできる。
【０１１４】
さらに、圧縮機の起動性能を上げることができ、また、圧力バランスが早くなり、消費電力量を低減することができる。
【図面の簡単な説明】
【図１】本発明の第１の実施例の冷蔵庫の縦断面図である。
【図２】同じく冷凍サイクルの構成図である。
【図３】本実施例の冷凍サイクルにおける冷媒の流れを示すものであり、（ａ）は冷凍モード、（ｂ）は冷蔵モード、（ｃ）は全閉状態、（ｄ）は全開状態を示すものである。
【図４】従来の圧縮機の吐出圧力と吸込圧力を示すものである。
【図５】同じく従来の改善された圧縮機の吐出圧力と吸込圧力を示すものである。
【図６】本実施例の圧縮機の吐出圧力と吸込圧力を示すものである。
【図７】本実施例の第１の制御方法のフローチャートである。
【図８】同じく第２の制御方法のフローチャートである。
【図９】電源投入時におけるフローチャートである。
【図１０】圧縮機の起動が失敗し再起動する場合のフローチャートである。
【図１１】圧縮機を停止させる場合の他の制御方法のタイムチャートである。
【図１２】第２の冷凍サイクルの構成図である。
【符号の説明】
１  冷蔵庫本体
２  断熱仕切壁
３  冷蔵仕切板
４  冷蔵貯蔵庫
５  野菜室
６  第１冷凍室
７  第２冷凍室
８  内箱
９  断熱箱体
１０  Ｒエバ
１１  Ｒファン
１２  Ｆエバ
１３  Ｆファン
１４  機械室
１ ５  圧縮機
１６  アキュームレータ
１７  逆止弁
１８  冷気循環路
３０  Ｒ室
４０  Ｆ室
【図１】
0004104900.tif 000002
【図２】
0004104900.tif 000003
【図３】
0004104900.tif 000004
【図４】
0004104900.tif 000005
【図５】
0004104900.tif 000006
【図６】
0004104900.tif 000007
【図７】
0004104900.tif 000008
【図８】
0004104900.tif 000009
【図９】
0004104900.tif 000010
【図１０】
0004104900.tif 000011
【図１１】
0004104900.tif 000012
【図１２】
0004104900.tif 000013